(57)【要約】【課題】野菜の熱輻射や乾燥による劣化を防止すると同時にペットボトル等の冷却も迅速に行える冷蔵庫の提供。【解決手段】野菜室容器３７に仕切壁４０を設けて野菜収納部４２、非野菜収納部４１を設けるとともに、野菜収納部は略密閉空間としてその収納部壁の一部に透湿膜４７を配置し、かつ、前記野菜室に野菜室容器の外周及び野菜室容器の野菜収納部内に冷気を供給する野菜冷気供給口３９を設け、更に前記野菜収納部の壁部分に野菜収納部内の冷気を非野菜収納部へと流す開口４９，５０を設けてある。これにより、野菜は野菜収納部に区分けして、ペットボトルからの熱輻射の影響を低減でき、かつ透湿膜により所定湿度に維持できて野菜の乾燥劣化も防止することができる。しかもペットボトル等は野菜室容器の外周を循環する冷気とともに野菜収納部からの冷気も加わって短時間で効率よく冷却できる。【選択図】図７
2018112401.tif 000002
【特許請求の範囲】
【請求項１】
野菜室内に設けた野菜室容器に仕切壁を設けてその後方に野菜収納部、前方に非野菜収納部を設けるとともに、前記野菜収納部は略密閉空間としてその収納部壁の一部に透湿膜を配置し、かつ、前記野菜室に野菜室容器の外周及び野菜室容器の野菜収納部内に冷気を供給する冷気供給口を設け、更に前記野菜収納部の前記非野菜収納部と対向する壁部分に野菜収納部内の冷気を非野菜収納部へと流す開口を設けた冷蔵庫。
【請求項２】
野菜室収納ケースはその後部上面開口部分に小物収納容器を備え、この小物収納容器の底面と仕切壁と透湿膜とで野菜収納部を略密閉空間とした請求項１記載の冷蔵庫。
【請求項３】
野菜収納部内の冷気を非野菜収納部に流す開口は前記野菜収納部と非野菜収納部とを区分けする壁部分の上下部分に分けて設けた請求項１または２記載の冷蔵庫。
【請求項４】
野菜収納部内の冷気を非野菜収納部に流す開口は野菜収納部と非野菜収納部とを区分けする壁部分の小物収納容器底面直下に設けた請求項１〜３のいずれか１項記載の冷蔵庫。
【請求項５】
野菜収納部内の冷気を非野菜収納部に流す開口は野菜室容器の上面開口に載置した小物収納容器と野菜室容器の野菜収納部と非野菜収納部とを区分けする壁部分との間で形成した請求項１〜４のいずれか１項記載の冷蔵庫。
【請求項６】
透湿膜ユニットは透湿膜を樹脂枠に一体成形しユニット化して野菜室容器の野菜収納部と非野菜収納部とを区分けする壁部分に具備させた請求項１〜５のいずれか１項記載の冷蔵庫。
【発明の詳細な説明】
【技術分野】
【０００１】
本発明は、冷蔵庫の野菜室構成に関するものである。
【背景技術】
【０００２】
一般に家庭用冷蔵庫は野菜室を備えており、この野菜室は野菜室扉の引出し開閉によって引き出される野菜室容器を備えている。そして、上記野菜室容器はその後部の上面開口部分に小物収納容器を備えていて、前記野菜室容器と小物収納容器とで二つの収納部を構成している（例えば、特許文献１参照）。
【０００３】
図１２は上記特許文献１記載の冷蔵庫を示し、１０１は野菜室、１０２は野菜室１０１の前面を開閉する引出式の野菜室扉、１０３は野菜室扉１０２の引出開閉に伴って引き出される野菜室容器、１０４は野菜室容器１０３の後部の上面開口に前後摺動自在に設けた小物収納容器である。そして、前記野菜室容器１０３には大物野菜を、小物収納容器１０４には果物や小物野菜等を分けて収納するようになっている。
【０００４】
この冷蔵庫によれば、野菜室容器１０３に大物野菜を、小物収納容器１０４に果物や小物野菜等を分けて収納することができ、しかも前記野菜室収納ケース１０３の小物収納容器１０４より前方部分には飲料水等の大型ペットボトルや紙パック等を収納することができ、使い勝手が良い。
【先行技術文献】
【特許文献】
【０００５】
【特許文献１】特開２０１２−１５９２７５号公報
【発明の概要】
【発明が解決しようとする課題】
【０００６】
しかしながら、上記野菜室容器１０３の前方部分に収納されるペットボトルや紙パック等は２Ｌと大型化していて、飲料水等の液体は熱容量も大きなものであるから、これが常温で野菜室容器内に入れられたような場合、ペットボトルがなかなか冷却できないとともに、野菜等がペットボトルからの熱輻射により劣化しやすくなる、という課題があった。
【０００７】
また、これと同時に冷気循環による野菜冷却保存特有の問題でもあるが、野菜室内を循環する冷気のため野菜が乾燥劣化するという課題もあった。
【０００８】
本発明はこのような従来の課題に鑑みてなしたもので、野菜の熱輻射や乾燥による劣化を防止すると同時にペットボトル等の冷却も迅速に行える冷蔵庫の提供を目的としたものである。
【課題を解決するための手段】
【０００９】
本発明は、上記従来の課題を解決するために、野菜室内に設けた野菜室容器に仕切壁を設けてその後方に野菜収納部、前方に非野菜収納部を設けるとともに、前記野菜収納部は略密閉空間としてその収納部壁の一部に透湿膜を配置し、かつ、前記野菜室に野菜室容器の外周及び野菜室容器の野菜収納部内に冷気を供給する冷気供給口を設け、更に前記野菜収納部の前記非野菜収納部と対向する壁部分に野菜収納部内の冷気を非野菜収納部へと流す開口を設けた構成としてある。
【００１０】
これにより、野菜は野菜収納部に、ペットボトル等は非野菜収納部にと区分けして収納することができ、ペットボトルから野菜への熱輻射の影響を低減することができるとともに、野菜収納部は略密閉空間として透湿膜を設けた構成としてあるから、野菜収納部内の湿度を所定湿度に保持することができて野菜の乾燥劣化も防止することができる。しかも、上記野菜収納部内の野菜は野菜室容器の外周を循環する冷気によって冷却されると同時に野菜収納部内に供給される冷気によっても冷却され、効率よく冷却することができるうえに、前記野菜収納部内に供給された冷気が開口を介して非野菜収納部内へと流れるので、非野菜収納部に収納しているペットボトル等も野菜室容器の外周を循環する冷気とともに前記野菜収納部からの冷気が加わった形で冷却されることになり、短時間で効率よく冷却することができる。
【発明の効果】
【００１１】
本発明の冷蔵庫は、上記構成により、野菜の熱輻射や乾燥による劣化を防止すると同時にペットボトル等の冷却も迅速に行える高品質な冷蔵庫を提供することができる。
【図面の簡単な説明】
【００１２】
【図１】本発明の実施の形態１における冷蔵庫の正面図
【図２】同図１のＡ−Ａ概略断面図
【図３】同実施の形態１における冷蔵庫の冷気ダクト配置構成を示す説明図
【図４】同実施の形態１における冷蔵庫の冷蔵室ダクトおよび野菜室ダクトが貫通する仕切壁の斜視図
【図５】同図４における仕切壁の分解斜視図
【図６】同図５における仕切壁の要部を拡大して示す分解斜視図
【図７】同実施の形態１における冷蔵庫の野菜室の内部を示す側断面図
【図８】同実施の形態１における野菜室の分解斜視図
【図９】同実施の形態１における野菜室容器の斜視図
【図１０】同実施の形態１における野菜室容器の分解斜視図
【図１１】同実施の形態１における野菜室容器の側断面図
【図１２】同従来の冷蔵庫の野菜室を示す断面図
【発明を実施するための形態】
【００１３】
第１の発明は、野菜室内に設けた野菜室容器に仕切壁を設けてその後方に野菜収納部、前方に非野菜収納部を設けるとともに、前記野菜収納部は略密閉空間としてその収納部壁の一部に透湿膜を配置し、かつ、前記野菜室に野菜室容器の外周及び野菜室容器の野菜収納部内に冷気を供給する冷気供給口を設け、更に前記野菜収納部の前記非野菜収納部と対向する壁部分に野菜収納部内の冷気を非野菜収納部へと流す開口を設けた構成としてある。
【００１４】
これにより、野菜は野菜収納部に、ペットボトル等は非野菜収納部にと区分けして収納することができ、ペットボトル等から野菜への熱輻射の影響を低減することができるとともに、野菜収納部は略密閉空間として透湿膜を設けた構成としてあるから、野菜収納部内の湿度を所定湿度に保持することができて野菜の乾燥劣化も防止することができる。しかも、上記野菜収納部内の野菜は野菜室容器の外周を循環する冷気によって冷却されると同時に野菜収納部内に供給される冷気によっても冷却され、効率よく冷却することができるうえに、前記野菜収納部内に供給された冷気が開口を介して非野菜収納部内へと流れるので、非野菜収納部に収納しているペットボトル等も野菜室容器の外周を循環する冷気とともに前記野菜収納部からの冷気が加わった形で冷却されることになり、短時間で効率よく冷却することができる。
【００１５】
第２の発明は、第１の発明において、前記野菜室容器はその後部上面開口部分に小物収納容器を備え、この小物収納容器の底面と仕切壁と透湿膜とで野菜収納部を略密閉空間とした構成としてある。
【００１６】
これにより、野菜収納部の上部開口を塞ぐに際して別途蓋部材等を設ける必要がなく、構成の合理化が図れると同時に、野菜室容器内を野菜収納部及び非野菜収納部に加え小物収納容器によって形成される収納部との三つの収納部とすることができ、野菜やペットボトル等に加え果物等の小物も区分けして収納することができ、使い勝手が向上する。
【００１７】
第３の発明は、第１または第２の発明において、前記野菜収納部内の冷気を非野菜収納部に流す開口は前記野菜収納部と非野菜収納部とを区分けする壁部分の上下部分に分けて設けた構成としてある。
【００１８】
これにより、野菜収納部からの冷気は非野菜収納部の上下部分にそれぞれ流れ込んでペットボトル等を冷却するようになり、ペットボトル等の背丈のあるものでも効率よく冷却することができる。
【００１９】
第４の発明は、第１〜第３の発明において、前記野菜収納部内の冷気を非野菜収納部に流す開口は野菜収納部と非野菜収納部とを区分けする壁部分の小物収納容器底面直下に設けた構成としてある。
【００２０】
これにより、野菜収納部から開口を通って非野菜収納部へと流れる冷気は小物収納容器の底面に沿って流れやすくなり、野菜収納部内と小物収納容器内との温度差による結露発生を抑制することができ、野菜収納部及び小物収納容器内の野菜や果物等を良好な状態で冷却保存することができる。
【００２１】
第５の発明は、第１〜第４の発明において、前記野菜収納部内の冷気を非野菜収納部に流す開口は野菜質容器の上面開口に載置した小物収納容器と野菜室容器の野菜収納部と非野菜収納部とを区分けする壁部分との間で形成した構成としてある。
【００２２】
これにより、野菜収納部と非野菜収納部とを区分けする壁部分に孔開け加工等をする必要がなく、生産性が向上する。
【００２３】
第６の発明は、第１〜第５の発明において、前記透湿膜ユニットは透湿膜を樹脂枠に一体成形しユニット化して野菜室容器の野菜収納部と非野菜収納部とを区分けする壁部分に具備させた構成としてある。
【００２４】
これにより、野菜室容器の野菜収納部と非野菜収納部とを区分けする壁部分は平板状の仕切板によって形成できるので、透湿膜を野菜室容器自体の外周壁一面に設ける場合に比べ仕切板は小物で平板状のものであるから容易に設けることができ、その分生産性が向上するとともに、野菜収納部の天井となる小物収納容器の底面に設ける場合のように小物収納容器内に収納される果物等によって透湿膜が損傷することも防止でき、信頼性の高いものとすることができる。
【００２５】
以下、本発明の実施の形態について、図面を参照しながら説明する。なお、この実施の形態によって本発明が限定されるものではない。
【００２６】
（実施の形態１）
図１は本発明の実施の形態１における冷蔵庫の正面図、図２は同図１のＡ−Ａ概略断面図、図３は同実施の形態１における冷蔵庫の冷気ダクト配置構成を示す説明図、図４は同実施の形態１における冷蔵庫の冷蔵室ダクトおよび野菜室ダクトが貫通する仕切壁の斜視図、図５は同図４における仕切壁の分解斜視図、図６は同図５における仕切壁の要部を拡大して示す分解斜視図、図７は同実施の形態１における冷蔵庫の野菜室の内部を示す側断面図、図８は同実施の形態１における野菜室の分解斜視図、図９は同実施の形態１における野菜室容器の斜視図、図１０は同実施の形態１における野菜室容器の分解斜視図、図１１は同実施の形態１における野菜室容器の側断面図である。
【００２７】
図１〜図５において、本実施の形態に係る冷蔵庫は、前方を開口した断熱箱体１を備え、この断熱箱体１は金属製の外箱２と、硬質樹脂製の内箱３と、前記外箱２および内箱３の間に発泡充填された発泡断熱材４とから構成されており、仕切板壁によって複数の貯蔵室が形成されている。また、前記断熱箱体１の各貯蔵室は断熱箱体１と同様の断熱構成を採用した回動式或いは引出し式の扉５、６、７で開閉自在となっている。
【００２８】
断熱箱体１内に形成された貯蔵室は、最上部の冷蔵室８と、冷蔵室８の下に設けられた温度帯切り替え可能な切替室９と、切替室９の横に設けられた製氷室１０と、切替室９および製氷室１０と最下部の野菜室１１との間に設けられた冷凍室１２で構成されている。
【００２９】
冷凍室１２の背面には冷却室１４があり、冷気を生成する冷却器１５と、冷気を各室に供給する冷却ファン１６とを有し、冷却器１５下方にはさらに除霜手段１７が設置されている。
【００３０】
冷却器１５は、圧縮機１８と、コンデンサ（図示せず）と、放熱用の放熱パイプ（図示せず）と、キャピラリーチューブ（図示せず）とを環状に接続してなる冷凍サイクルを構成しており、圧縮機１８によって圧縮された冷媒の循環によって冷却を行う。
【００３１】
冷却室１４によって生成した冷気は、前記冷却室１４を形成する区画壁２０に設けた冷凍冷気供給口２１と冷凍室ダンパ２２を介して冷凍室１２及び製氷室１０とその横の切替室９に供給されるとともに、図３に示す冷蔵室ダクト２３及び冷蔵室ダクト２３の途中から分岐した野菜室ダクト２４を介して冷蔵室８及び野菜室１１に供給される。
【００３２】
冷蔵室ダクト２３は、冷蔵室８と製氷室１０及びその横の切替室９との間を仕切る仕切板壁３２を貫通して冷蔵室８背面に延設されるとともに、仕切板壁３２貫通部分で野菜室ダクト２４が分岐されており、野菜室ダクト２４は冷凍室１２背面の冷却室１４横を通って野菜室１１の背面に開口し後述する野菜冷気供給口となっている。
【００３３】
冷蔵室ダクト２３と野菜室ダクト２４の分岐は図６に示す分岐ユニット２６によって行われている。この分岐ユニット２６は、冷蔵室ダクト部２７と野菜室ダクト部２８ならびに冷蔵室戻りダクト部２９を有し、前記野菜室ダクト部２８に野菜室ダンパ３０を組み込んでその上方から蓋体３１を装着し野菜室ダクト部２８を閉塞してユニット化してある。
【００３４】
このユニット化した状態の分岐ユニット２６は、図５に示すように前記仕切板壁３２の下板３２ａと上板３２ｂとの間に挟み込んで下板３２ａと上板３２ｂとの間に発泡断熱材を充填発泡させ仕切板壁３２の後部に一体化してある。
【００３５】
分岐ユニット２６に設けた冷蔵室ダクト部２７は、その上端開口部分に冷蔵室ダンパ３４（図６には図示していないが、図３に図示あり）を介して冷蔵室背面の冷蔵室ダクト２３に接続するとともに、冷蔵室戻りダクト部２９は図３に示す冷凍室１２背面の野菜室ダクト２４横に設けた冷蔵室戻りダクト３５に接続してあり、冷却室１４で生成された冷気が冷蔵室ダンパ３４、冷蔵室ダクト２３、冷蔵室８、冷蔵室戻りダクト３５を介して循環するようになっている。
【００３６】
また、分岐ユニット２６に設けた野菜室ダクト部２８は図３に示す野菜室ダクト２４に接続し、冷却室１４で生成された冷気が野菜室ダンパ３０を介して野菜室１１に供給されるようになっている。
【００３７】
次に、野菜室１１について説明する。
【００３８】
野菜室１１は、図７に示すように、冷凍室１２との間を区切る断熱性の仕切板壁３３と断熱箱体１の内箱底壁面３ａとの間に形成されていて、図８にも示すように野菜室容器３７が設置されており、この野菜室容器３７を扉７の内面に取り付けたレール状の支持部材３８に嵌め込んで扉７の開閉に伴い野菜室１１から出し入れ自在となっている。
【００３９】
そして、上記野菜室１１はその後部に前記冷却室１４から野菜室ダクト２４を介して冷気が供給される野菜冷気供給口３９が設けてあり、この野菜冷気供給口３９からの冷気が図７の矢印で示すように野菜室１１内周面と野菜室容器３７との間を循環し野菜室容器３７内の野菜やペットボトル等の食品を容器外周から間接的に冷却するようになっている。
【００４０】
また、前記野菜室容器３７はその内部を前後に分割する仕切壁４０を備え、前記仕切壁４０で仕切った前方部分をペットボトルやパック等を収納する非野菜収納部４１とし、後方部分を野菜収納部４２としてある。そして、前記野菜室容器３７の後部上面開口部分に小物収納容器４３が前後摺動自在に設置してあり、上記前記小物収納容器４３内に形成される収納部と合わせて三つの収納部を備えた形となっている。
【００４１】
さらに前記野菜室容器３７は図９等に示すように前記仕切壁４０の上部にこれと対向させて仕切板４４を着脱自在に嵌合装着し、この仕切板４４に透湿膜ユニット４５を着脱自在に装着して、前記野菜収納部４２を前記小物収納容器４３の底面と仕切壁４０、仕切板４４及び透湿膜ユニット４５とで囲って略密閉空間としている。
【００４２】
なお、上記透湿膜ユニット４５は図１１に示すように樹脂枠４６に透湿膜４７を一体成型して形成してある。また透湿膜４７としては種々のものがあるが、例えば膜厚１０〜５０μｍのシリコン薄膜と親水性ナイロン繊維を積層して構成したものを用いており、シリコン薄膜により液体の通過を防止し、かつ適度な気体透過性を持たせ、親水性ナイロン繊維により結露を防止している。
【００４３】
また上記野菜室容器３７は図７に示すように前記野菜冷気供給口３９側の小物収納容器４３底面との間に形成される冷気取入れ口４８を有し、野菜冷気供給口３９からの冷気の一部を矢印で示すように前記野菜収納部４２へ取り込むようにしてある。
【００４４】
そして、上記仕切壁４０上部への仕切板４４の嵌合装着によって仕切壁４０上端と仕切板４４との間に開口４９を形成するとともに、仕切板４４と小物収納容器４３の底面との間に開口５０を形成し、前記野菜冷気供給口３９から野菜収納部４２に供給された冷気が矢印で示す如く前記開口４９，５０を介して非野菜収納部４１に供給されるようになっている。
【００４５】
なお、上記開口４９，５０は、図１１にて明らかなように小物収納容器４３直下の開口５０の方がその下方に位置する開口４９よりも開口面積を大きくしてある。
【００４６】
また、前記非野菜収納部４１には図１０に示すように前後方向に補助仕切板４４ａを設けて非野菜収納部４１を左右に仕切っている。
【００４７】
さらに、野菜室１１の天井面となる仕切板壁３３の下面には野菜室戻り風路３６が形成してあり、この野菜室戻り風路３６の後部は冷却室１４の下部に開口していて、野菜室１１を冷却した後の冷気が冷却室１４に戻るように構成されている。
【００４８】
以上のように構成された冷蔵庫について、以下その動作、作用を説明する。
【００４９】
まず、冷蔵庫全体の冷却動作について簡単に説明しておく。
【００５０】
冷却室１４内で生成された低温の冷気は、冷却ファン１６によって、冷蔵室８と冷凍室１２と野菜室１１に送られ、それぞれの室が設定温度に冷却される。
【００５１】
次に、野菜室１１の冷却について説明する。
【００５２】
野菜室１１は野菜室ダクト２４からの冷気が野菜冷気供給口３９から供給されて冷却される。この冷気は図７に示すように冷却ファン１６の送風圧によって野菜冷気供給口３９から緩やかに野菜室１１に流れ込み、野菜室容器３７と野菜室１１の内周壁との間の空間を流れ、この野菜室容器３７の野菜収納部４２内に収納されている野菜や非野菜収納部４１内のペットボトル等を容器外周から間接的に冷却し、野菜室戻り風路３６から冷却室１４へと戻り循環する。
【００５３】
また、野菜冷気供給口３９からの冷気の一部は野菜室容器３７と小物収納容器４３底面との間の冷気取入れ口４８から野菜収納部４２内へと流入し、野菜収納部４２に収納されている野菜を直接的に冷却する。
【００５４】
そして、上記野菜を冷却した後の冷気は、仕切壁４０上部と仕切板４４との間の開口４９及び仕切板４４上部と小物収納容器４３の底面との間の開口５０より非野菜収納部４１へと流れ、この非野菜収納部４１に収納しているペットボトル等をその上下から直接的に冷却する。
【００５５】
したがって、野菜収納部４２に収納されている野菜はもちろん、その前方の非野菜収納部４１に収納している背丈の高いペットボトル等も効率よく冷却することができ、熱容量が大きくても比較的短時間に冷却することができる。
【００５６】
また、上記野菜収納部４２は小物収納容器４３の底面と仕切壁４０、仕切板４４及び仕切板４４に装着した透湿膜ユニット４５とで囲んで略密閉空間としているから、野菜収納部４２内の湿度を略一定に維持することができ、野菜を良好な状態で冷却保存することができる。
【００５７】
すなわち、野菜収納部４２内はこの野菜収納部４２に収納した野菜から蒸散する水分により高湿状態になるが、所定湿度以上、例えば飽和湿度以上になると湿度成分は仕切壁４０に設けた透湿膜ユニット４５を介して非野菜収納部４１内に徐々に透湿され、野菜収納部４２内は湿度８０〜９５％Ｒ．Ｈ．に保たれる。したがって野菜収納部４２内の野菜を乾燥劣化させることなく良好な状態で冷却保存することができるのである。
【００５８】
また、前記野菜収納部４２を冷却した後の冷気を非野菜収納部４１へと流す開口４９，５０のうち、小物収納容器４３の直下に位置する開口５０はそれより下方に位置する開口４９の開口面積よりも大きくしているから、野菜収納部４２内の冷気は前記小物収納容器４３直下の開口５０へと向かう量が多くなって小物収納容器４３底面に沿う冷気の流れが形成されるようになる。したがって、野菜収納部４２の天井面を構成する小物収納容器４３の底面に結露が発生するのを予防することができ、野菜収納部４２内の野菜をより良好な状態で冷却保存することができる。
【００５９】
すなわち、野菜収納部４２内の冷気は野菜から蒸散する水分により高湿でかつ比較的温度の高い状態となっており、一方小物収納容器４３内は野菜冷気供給口３９からの冷気によって直接冷却されて野菜収納部４２内よりも低温状態となっているため、野菜収納部４２内の小物収納容器４３底面直下の冷気が滞留状態となっているとそれが小物収納容器４３の底面に結露し、その結露水が滴下して野菜を劣化させる可能性がある。しかしながら、この実施の形態では、前記したように小物収納容器４３の底面近傍に冷気の流れが形成されるので結露発生を防止でき、結露水で野菜を劣化させることなく良好に冷却保存できるのである。
【００６０】
しかもこの実施の形態で示す冷蔵庫では、野菜室１１の野菜室容器３７は野菜室容器３７を仕切壁４０と仕切板４４とによって野菜収納部４２と非野菜収納部４１に区分けし、更に前記野菜収納部４２の上面開口部に小物収納容器４３を載置して、三つの収納部を構成しているから、それぞれの収納部に食材を区分けして収納、例えば小物収納容器４３には果物、野菜収納部４２には野菜、非野菜収納部４１にはペットボトルやパック等の飲み物を効率よく収納することができる。そして、このように野菜とペットボトル等とを区分けして収納することによって、ペットボトル等から野菜への熱輻射の影響を低減することができ、更に良好な状態で野菜を冷却保存することができる。
【００６１】
加えて、前記小物収納容器４３を野菜収納部４２の上面開口に載置してこれを覆を覆う蓋部材とした構成としているから、野菜収納部４２を覆う蓋部材等を別途必要とすることがなく、構成の合理化が図れる。
【００６２】
そして、前記透湿膜ユニット４５は透湿膜４７を樹脂枠４６に一体成形しユニット化して仕切板４４に具備させてあるから、透湿膜４７を野菜室容器３７の外周壁一面に設ける場合に比べ仕切板４４そのものが小物で平板状のものであるから容易に設けることができ、その分生産性が向上する。しかも、前記野菜収納部４２の天井となる小物収納容器４３の底面に透湿膜ユニット４５を設ける場合の様に小物収納容器４３内に収納される果物等によって透湿膜４７が損傷することも防止でき、信頼性の高いものとなる。
【００６３】
更に、この実施の形態では、前記野菜収納部４２内の冷気を非野菜収納部４１に流す開口４９，５０は、野菜室容器３７の上面に載置した小物収納容器４３と野菜室容器３７の仕切壁４０との間、及び仕切壁４０と仕切板４４との間で、それぞれ形成しているので、例えば仕切壁４０に開口用の孔開け加工等をする必要がなく、生産性が向上する。
【００６４】
以上、本発明は野菜の熱輻射や乾燥による劣化を防止すると同時にペットボトル等の冷却も迅速に行えるものであるが、上記実施の形態で説明した構成は本発明を実施する一例として示したものであり、本発明の目的を達成する範囲で種々変更可能なことは言うまでもない。
【００６５】
例えば、野菜室容器３７の野菜収納部４２と非野菜収納部４１とを区分けする壁部分は野菜室容器３７に一体成型した仕切壁４０とこの野菜室容器３７に嵌合装着した仕切板４４とで構成したが、これらは一体化して野菜室容器３７に一体成型、或いは別体物として野菜室容器３７に嵌合装着可能なものとしてもよいものである。
【００６６】
また、野菜収納部４２の前記非野菜収納部４１と対向する壁部分、すなわち野菜収納部４２と非野菜収納部４１とを区分けする壁部分に野菜収納部４２内の冷気を非野菜収納部４１へと流す開口を４９，５０の二つ設けたものを例示したが、これはいずれか一方の開口のみであってもよく、また、仕切壁４０や仕切板４４、透湿膜ユニット４５のいずれかに孔を開けて形成してもよいものである。
【００６７】
また、透湿膜４７もシリコン薄膜と親水性ナイロン繊維を積層して構成したものを例示したが、これに限られるものではなく、野菜収納部４２内の湿度が所定値以上になるとその湿度成分を透湿させて掠一定の湿度に維持するものであればどのようなものでもよいものである。
【産業上の利用可能性】
【００６８】
本発明は、野菜の熱輻射や乾燥による劣化を防止すると同時にペットボトル等の冷却も迅速に行える高品質な冷蔵庫を提供することができる。したがって、家庭用はもちろん業務用冷蔵庫にも幅広く適用することができる。
【符号の説明】
【００６９】
１  断熱箱体
２  外箱
３  内箱
３ａ  内箱底壁面
４  発泡断熱材
５、６、７  扉
８  冷蔵室
９  切替室
１０  製氷室
１１  野菜室
１２  冷凍室
１４  冷却室
１５  冷却器
１６  冷却ファン
１８  圧縮機
２３  冷蔵室ダクト
２４  野菜室ダクト
２７  冷蔵室ダクト部
２８  野菜室ダクト部
２９  冷蔵室戻りダクト部
３０  野菜室ダンパ
３２、３３  仕切板壁
３４  冷蔵室ダンパ
３５  冷蔵室戻りダクト
３６  野菜室戻り風路
３７  野菜室容器
３９  野菜冷気供給口
４０  仕切壁
４１  非野菜収納部
４２  野菜収納部
４３  小物収納容器
４４  仕切板
４５  透湿膜ユニット
４６  樹脂枠
４７  透湿膜
４８  冷気取入れ口
４９，５０  開口  
【図１】
2018112401.tif 000003
【図２】
2018112401.tif 000004
【図３】
2018112401.tif 000005
【図４】
2018112401.tif 000006
【図５】
2018112401.tif 000007
【図６】
2018112401.tif 000008
【図７】
2018112401.tif 000009
【図８】
2018112401.tif 000010
【図９】
2018112401.tif 000011
【図１０】
2018112401.tif 000012
【図１１】
2018112401.tif 000013
【図１２】
2018112401.tif 000014
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
仕切壁によって第１の収納部と第２の収納部とに区分けされ、前記第１の収納部の上方に摺動可能な収納容器が設けられている野菜室を備える冷蔵庫であって、冷気が流れる第１の開口が前記仕切壁に設けられ、冷気が流れる第２の開口が前記収納容器と前記仕切壁との間に設けられていることを特徴とする冷蔵庫。
【請求項２】
前記仕切壁に透湿膜が設けられていることを特徴とする請求項１に記載の冷蔵庫。
【請求項３】
前記透湿膜は、前記第１の開口と前記第２の開口の間に設けられていることを特徴とする請求項２に記載の冷蔵庫。
【請求項４】
仕切壁によって第１の収納部と第２の収納部とに区分けされ、前記第１の収納部の上方に摺動可能な収納容器が設けられている野菜室を備える冷蔵庫であって、冷気が流れる開口が前記仕切壁に設けられていることを特徴とする冷蔵庫。
【請求項５】
前記仕切壁に透湿膜が設けられていることを特徴とする請求項４に記載の冷蔵庫。
【請求項６】
前記透湿膜は前記開口の上方に設けられていることを特徴とする請求項５に記載の冷蔵庫。
【請求項７】
仕切壁によって第１の収納部と第２の収納部とに区分けされ、前記第１の収納部の上方に摺動可能な収納容器が設けられている野菜室を備える冷蔵庫であって、冷気が流れる開口が前記収納容器と前記仕切壁との間に設けられていることを特徴とする冷蔵庫。
【請求項８】
前記仕切壁に透湿膜が設けられていることを特徴とする請求項７に記載の冷蔵庫。
【請求項９】
前記第１の収納部と前記第２の収納部は、前記冷蔵庫の前後方向に並んでいることを特徴とする請求項１から８のいずれか１項に記載の冷蔵庫。
【手続補正２】
【補正対象書類名】明細書
【補正対象項目名】０００８
【補正方法】変更
【補正の内容】
【０００８】
本発明はこのような従来の課題に鑑みてなしたもので、野菜の劣化を防止する冷蔵庫の提供を目的としたものである。
【手続補正３】
【補正対象書類名】明細書
【補正対象項目名】０００９
【補正方法】変更
【補正の内容】
【０００９】
本発明は、上記従来の課題を解決するために、仕切壁によって第１の収納部と第２の収納部とに区分けされ、前記第１の収納部の上方に摺動可能な収納容器が設けられている野菜室を備える冷蔵庫であって、冷気が流れる第１の開口が前記仕切壁に設けられ、冷気が流れる第２の開口が前記収納容器と前記仕切壁との間に設けられていることを特徴とする。
また、本発明は、仕切壁によって第１の収納部と第２の収納部とに区分けされ、前記第１の収納部の上方に摺動可能な収納容器が設けられている野菜室を備える冷蔵庫であって、冷気が流れる開口が前記仕切壁に設けられていることを特徴とする。
また、本発明は、仕切壁によって第１の収納部と第２の収納部とに区分けされ、前記第１の収納部の上方に摺動可能な収納容器が設けられている野菜室を備える冷蔵庫であって、冷気が流れる開口が前記収納容器と前記仕切壁との間に設けられていることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
本発明の冷蔵庫は、野菜の劣化を防止することができる。